【手続補正書】
【提出日】平成23年5月31日(2011.5.31)
【手続補正１】
【補正対象書類名】特許請求の範囲
【補正対象項目名】全文
【補正方法】変更
【補正の内容】
【特許請求の範囲】
【請求項１】
細長シャフトと動作可能に連結されたハンドルを有するインライン形手術器械であって、前記ハンドルが、
第２のハンドル部材に枢動可能に連結された第１のハンドル部材であって、枢動可能な前記連結が各ハンドル部材の近位端の近傍に位置する、第１のハンドル部材と、
前記第１のハンドル部材に固定され、且つ前記第１のハンドル部材から前記第２のハンドル部材に向かって突出する第１の係合部材であって、前記第１の係合部材の第１の端部分が付勢されて第２の係合部材と係合する、第１の係合部材と、
前記第１のハンドル部材に枢動可能に連結され、且つ前記第１の係合部材との動作接触により機械的に連動するカムスイッチと、を含み、
前記カムスイッチが前記第１の係合部材に対する第１の角度に配置されると、前記動作接触が、前記第１の係合部材を、前記第２の係合部材との前記第１の係合部材の付勢された係合に打ち勝って解放するのに十分なだけ枢動させ、
前記カムスイッチが前記第１の係合部材に対する第２の角度に配置されると、前記動作接触が、前記第１の係合部材を、前記第２の係合部材との前記第１の係合部材の付勢された係合に打ち勝つのに十分なだけ枢動させ、且つ前記動作接触が、前記第１の係合部材を、前記第２の係合部材との係合が外れた状態にするのに十分なだけ付勢する、手術器械。
【請求項２】
前記カムスイッチの前記第１の係合部材との前記動作接触が、
第１のカム状レバー端と第２のカム状レバー端との間に配置されたカム状レバー枢軸の周りに枢動されるように構成された枢動可能なカム状レバーによりなされ、
前記カムスイッチが前記第１のカム状レバー端に接触し、前記第２のカム状レバー端が前記第１の係合部材に接触する、請求項１に記載の手術器械。
【請求項３】
前記第１の係合部材が前記第２の係合部材との係合状態に板バネによって付勢され、前記板バネが、前記第１の係合部材の一部分を前記カム状レバーから離れる方向に付勢する、請求項２に記載の手術器械。
【請求項４】
前記カム状レバーが、突出面部分と陥凹面部分とを含む表面を備える、請求項２に記載の手術器械。
【請求項５】
前記カムスイッチが前記第１の係合部材に対して前記第１の角度に配置されると、前記カムスイッチが前記突出面部分に接触する、請求項４に記載の手術器械。
【請求項６】
前記カムスイッチが前記第１の係合部材に対して前記第２の角度に配置されると、前記カムスイッチが前記陥凹面部分に接触する、請求項４に記載の手術器械。
【請求項７】
前記カムスイッチの前記陥凹面部分との接触が、前記カム状レバーを適所に保持するのに十分な摩擦接触をもたらす、請求項６に記載の手術器械。
【請求項８】
前記第１の係合部材がラチェット歯付き部材と爪部材とを含む、請求項１に記載の手術器械。
【請求項９】
前記細長シャフトが、該細長シャフトの中を通って長手方向に延在する作動ロッドと、前記細長シャフト及び前記作動ロッドの遠位端近傍に配置された遠位端作用部とを含む、請求項１に記載の手術器械。
【請求項１０】
前記第１のハンドル部材又は前記第２のハンドル部材の一方が前記作動ロッドと機械的に連動しており、前記第１のハンドル部材又は前記第２のハンドル部材の一方を他方に対して枢動すると、前記作動ロッドが動くように構成されている、請求項１に記載の手術器械。
【請求項１１】
前記第１のハンドル部材を付勢して前記第２のハンドル部材から離れる側に枢動させるように構成された少なくとも１本のワイヤバネをさらに含む、請求項１に記載の手術器械。
【請求項１２】
前記細長シャフトに取り付けられ、且つ前記細長シャフトをその長手方向軸線の周りに回転させるように構成された回転ノブをさらに含む、請求項１に記載の手術器械。
【請求項１３】
前記回転ノブに配置され、且つ前記細長シャフトの内側部分との流体連通を提供するように構成されたフラッシュポートをさらに含む、請求項１２に記載の手術器械。
【請求項１４】
細長シャフトと動作可能に連結されたハンドルを有するインライン形手術器械であって、前記ハンドルが、
第１のハンドル部材と、
前記第１のハンドル部材に枢動可能に連結される第２のハンドル部材であって、各ハンドル部材の近位端の近傍で相互に連結される、第２のハンドル部材と、
枢動可能な前記連結に対して遠位側に配置され、且つ前記第１のハンドル部材と前記第２のハンドル部材とを着脱可能に係合するように構成されたラチェット機構であって、第１のラチェット機構部分と第２のラチェット機構部分とを含むラチェット機構と、
を含み、
前記第１のラチェット機構部分が、
Ｌ字型ラチェット歯付き係合部材と、
カム状レバー部材と、
カムスイッチと、を含み、
前記Ｌ字型ラチェット歯付き係合部材が、前記第１のハンドル部材に枢動可能に装着されて、前記第１のハンドル部材から前記第２のハンドル部材に向かって突出しており、前記Ｌ字型ラチェット歯付き係合部材は、レバー−アーム突出部分と概して垂直の歯付き部分を含み、
前記カムスイッチが、前記第１のハンドル部材に枢動可能に装着されて、前記第１のハンドル部材から前記第２のハンドル部材の逆側に向かって突出しており、
前記カム状レバー部材が、カム作用端と、レバー作用端と、それらの間で前記カム状レバー部材を前記第１のハンドル部材と枢動可能に連結する枢軸とを含み、及び
前記カムスイッチが前記カム状レバー部材の前記カム作用端に接触し、且つ前記カム状レバー部材の前記レバー作用端が前記Ｌ字型ラチェット歯付き係合部材の前記レバー−アーム突出部に接触し、
前記カム作用端が、隆起カム面と陥凹カム面とを含み；及び
前記第２のラチェット機構部分が、
前記第２のハンドル部材に装着された爪部材であって、爪歯部分と爪脚部分とを備える爪部材を含み、前記爪歯部分が前記ラチェット歯付き係合部材の前記歯付き部分に向かって突出し、且つ前記歯付き部分と係合するように構成され、及び
前記Ｌ字型ラチェット歯付き係合部材と接触する付勢バネが前記Ｌ字型ラチェット歯付き係合部材を付勢して前記爪歯部分と係合させ；及び
前記カムスイッチ及び前記カム状レバー部材の前記カム作用端は、前記カムスイッチが前記カム状レバー部材に対する第１の角度に配置されると、前記カムスイッチと前記カム状レバー部材の前記隆起カム面との間の第１の動作接触により、前記Ｌ字型ラチェット歯付き係合部材の、前記爪部材の前記爪歯部分との付勢による係合を、てこ作用によって外すように構成され、及び
前記カムスイッチ及び前記カム状レバー部材の前記カム作用端はまた、前記カムスイッチが前記カム状レバー部材に対する第２の角度に配置されると、前記カムスイッチと前記カム状レバー部材の前記陥凹カム面との間の第２の動作接触により、前記Ｌ字型ラチェット歯付き係合部材の、前記爪部材の前記爪歯部分との付勢による係合を、てこ作用によって外すように構成される、インライン形手術器械。
【請求項１５】
前記第２の動作接触が、前記カムスイッチを前記第２の角度に固定すると同時に、前記Ｌ字型ラチェット歯付き係合部材の、前記爪部材の前記爪歯部分との付勢による係合を外れた状態にする摩擦係合を含む、請求項１４に記載のインライン形手術器械。
【請求項１６】
インライン形手術器械ハンドル用の単一スイッチ解除／無効化ラチェット機構であって、
カムスイッチ部材と、前記カムスイッチ部材と動作接触する枢動可能なラチェット部材と、付勢部材と、爪部材と、を含み、
前記機構がラチェット係合状態にあるとき、前記カムスイッチ部材は、前記動作接触が最小限となって前記付勢部材が前記ラチェット部材を前記爪部材と係合した状態に付勢するように、第１のニュートラル位置を占め、
前記機構がラチェット解除状態にあるとき、前記カムスイッチ部材は、前記動作接触により前記付勢部材の付勢が押し返されて前記ラチェット部材が前記爪部材との係合状態から解除されるように、第２の位置を占め、及び
前記機構がラチェット無効化状態にあるとき、前記カムスイッチ部材は、前記動作接触により前記ラチェット部材が付勢されて前記爪部材との係合が外れた状態となるように、第３の位置を占める、機構。
【請求項１７】
前記カムスイッチ部材の前記第１の係合部材との前記動作接触が、
第１のカム状レバー端と第２のカム状レバー端との間に配置されたカム状レバー枢軸の周りに枢動されるように構成された枢動可能なカム状レバーによりなされ、
前記カムスイッチ部材が前記第１のカム状レバー端に接触し、前記第２のカム状レバー端が前記枢動可能なラチェット部材に接触する、請求項１６に記載の機構。
【請求項１８】
前記付勢部材が、前記カム状レバーと前記ラチェット部材との間に配置され、且つ前記ラチェット部材の端部を前記カム状レバーから離れる方向に付勢するよう構成された板バネを含む、請求項１７に記載の機構。
【請求項１９】
前記カム状レバーが、突出面部分と陥凹面部分とを含むカムスイッチ部材接触面を備える、請求項１７に記載の機構。
【請求項２０】
前記カムスイッチ部材が前記第２の位置を占めるとき、前記カムスイッチ部材が前記突出面部分に接触する、請求項１９に記載の機構。
【請求項２１】
単一スイッチ解除／無効化機能部を備えたハンドルラチェット機構を有するインライン形手術器械であって、前記ハンドルラチェット機構が、
第１の係合部材と、
ハンドル部分に枢動可能に装着され、且つ前記第１の係合部材に向かって突出する第２の係合部材であって、前記第２の係合部材の第１の端部分がバネ付勢されて前記第１の係合部材と係合する、第２の係合部材と、
前記ハンドル部分と可動式に連結され、且つ前記第２の係合部材の第２の端部分との動作接触を含むカムスイッチと、を含み、
前記カムスイッチが前記第２の係合部材に対する第１の位置に置かれると、前記動作接触が、前記第２の係合部材を、前記第１の係合部材との前記第２の係合部材のバネ付勢された係合に打ち勝つのに十分なだけ枢動させ、及び
前記カムスイッチが前記第２の係合部材に対する第２の位置に置かれると、前記動作接触が、前記第２の係合部材を、前記第１の係合部材との前記第２の係合部材の付勢された係合に打ち勝つのに十分なだけ枢動させ、且つ前記動作接触が前記第２の係合部材を、前記第１の係合部材との係合が外れた状態にするのに十分なだけ付勢する、インライン形手術器械。
【請求項２２】
細長シャフトと動作可能に連結されたハンドルを有するインライン形手術器械であって、前記ハンドルが、
その近位端近傍で、第２のハンドル部材の近位端近傍と枢動可能に連結された第１のハンドル部材と、
前記第１のハンドル部材に含まれるラチェット歯付き係合部材と、
前記第２のハンドル部材において枢動可能に装着された爪係合部材であって、前記歯付き係合部材の一部分が付勢されると係合する爪係合部材と、
前記第１のハンドル部材に枢動可能に連結され、且つ前記歯付き係合部材の表面との動作接触を含む細長カムスイッチと、を含み、
前記細長カムスイッチが前記歯付き係合部材に対する第１の位置に置かれると、前記動作接触が、前記爪係合部材との前記歯付き係合部材の付勢された係合に打ち勝つのに十分な力を提供し；及び、
前記細長カムスイッチが前記歯付き係合部材に対する第２の位置に置かれると、前記動作接触が、前記歯付き係合部材を、前記爪係合部材との前記歯付き係合部材の付勢された係合に打ち勝つのに十分なだけ枢動させ、且つ前記動作接触が前記歯付き係合部材を、前記爪係合部材との係合が外れた状態にするのに十分なだけ付勢する、インライン形手術器械。
【請求項２３】
細長シャフトと動作可能に連結されたハンドルを有するインライン形手術器械であって、前記ハンドルが、
単一の作動手段を作動させることによって係合、解除、及び無効化を行うように構成されたラチェット機構、を含む、インライン形手術器械。
【請求項２４】
前記単一の作動手段がカムスイッチを含む、請求項２３に記載のインライン形手術器械。
【請求項２５】
前記ハンドルが、第１のハンドル部材であって、該第１のハンドル部材の近位端付近で第２のハンドル部材の近位端近傍と枢動可能に連結された第１のハンドル部材をさらに含み、及び
前記ラチェット機構が、前記第１のハンドル部材に含まれるラチェット歯付き係合部材をさらに含み、
爪係合部材が前記第２のハンドル部材に枢動可能に装着され、前記歯付き係合部材の一部分は付勢されて前記爪係合部材と係合し、及び
前記カムスイッチが前記第１のハンドル部材に枢動可能に連結され、且つ中間レバー部材を介した前記歯付き係合部材の表面との動作接触を含み、
前記カムスイッチが前記歯付き係合部材に対して第１の位置に枢動されると、前記動作接触が、前記爪係合部材との前記歯付き係合部材の付勢された係合に打ち勝つのに十分な力を提供し、及び
前記カムスイッチが前記歯付き係合部材に対して第２の位置に枢動されると、前記動作接触が、前記歯付き係合部材を、前記爪係合部材との前記歯付き係合部材の付勢された係合に打ち勝つのに十分なだけ枢動させ、且つ前記動作接触が、前記歯付き係合部材を、前記爪係合部材との係合が外れた状態にするのに十分なだけ付勢する、請求項２４に記載のインライン形手術器械。